(57)【特許請求の範囲】
【請求項１】
部品の筐体の表面に設けられた相手側コネクタに前記筐体に沿った方向から挿入される挿入側コネクタに取り付けられ、該挿入側コネクタに取り付けられた状態で前記挿入側コネクタの前記相手側コネクタに対する挿入側とは反対側に位置する部分に、先端部に係合片を有する支持部が延設されたコネクタ保持部材と、
前記支持部の先端部が挿入された内部に前記係合片と係合可能な被係合片を有し、該被係合片に前記係合片を係合させた係合状態において、前記支持部の延在方向と交差するオフセット方向に移動した傾斜姿勢で前記コネクタ保持部材を前記延在方向に移動不能に支持すると共に、前記被係合片への前記係合片の係合を解除した係合解除状態において前記筐体に取り付けられて、前記挿入側コネクタが前記相手側コネクタに挿入可能な姿勢となる前記傾斜姿勢以外の姿勢で前記コネクタ保持部材を前記延在方向に移動自在に支持する固定部材と、
を備えることを特徴とするコネクタのガイド装置。
【請求項２】
前記固定部材は、前記係合解除状態の前記コネクタ保持部材の前記延在方向への移動により、前記コネクタ保持部材に対する前記挿入側コネクタの取付寸法誤差の許容範囲の最大値と前記筐体に対する前記固定部材の取付寸法誤差の許容範囲の最大値とを積算した積算公差値以上の寸法の範囲で、前記延在方向における前記コネクタ保持部材との間隔を変化させるように構成されていることを特徴とする請求項１記載のコネクタのガイド装置。
【請求項３】
前記挿入側コネクタに取り付けられた状態の前記コネクタ保持部材の前記挿入側に位置する部分に延設され、前記相手側コネクタに係止されて前記コネクタ保持部材に取り付けられた前記挿入側コネクタを前記オフセット方向において前記相手側コネクタの挿入開口に位置決めする位置決め片をさらに備えることを特徴とする請求項１又は２記載のコネクタのガイド装置。
【発明の詳細な説明】
【技術分野】
【０００１】
本発明は、相手側コネクタに挿入される挿入側コネクタを相手側コネクタに挿入可能な姿勢にガイドするコネクタのガイド装置に関する。
【背景技術】
【０００２】
コネクタを相手のコネクタ側に移動させて挿入する際には、移動方向と直交する面内において相手側コネクタと中心の位置を合わせて、相手側コネクタに挿入可能な相対位置関係にコネクタ同士をガイドすることが必要である。このようなガイドのための機構として、コネクタ同士の調芯を行うための構成が、従来から種々提案されている（例えば、特許文献１，２）。
【０００３】
このうち、特許文献１の調芯構造は、固定された相手側コネクタに設けたガイド機構が、挿入側コネクタを挿入方向と直交する面方向に移動させて、挿入側コネクタを相手側コネクタに対して調芯させるものである。また、特許文献２の調芯構造は、相手側コネクタを支持する調芯機構が、挿入側コネクタの位置に合わせて相手側コネクタを、その挿入方向と直交する面方向に移動させて、相手側コネクタを挿入側コネクタに対して調芯させるものである。
【先行技術文献】
【特許文献】
【０００４】
【特許文献１】特開２００２−２３７３５３号公報
【特許文献２】特開２００６−１４００９３号公報
【発明の概要】
【発明が解決しようとする課題】
【０００５】
ところで、例えば、制御用の電気信号によって作動するアクチュエータには、電気信号を伝送する信号線がコネクタによって接続される場合がある。この場合、アクチュエータの筐体に設けられるコネクタは、筐体からの突出量を抑制するために、筐体の表面に沿って信号線のコネクタを挿入するような向きとされることが多い。
【０００６】
このような向きでアクチュエータのコネクタに信号線のコネクタを挿入する際には、信号線のコネクタの挿入側端をアクチュエータのコネクタの開口に臨ませる必要がある。しかし、信号線のコネクタをアクチュエータの筐体に近付けてからアクチュエータのコネクタ側に移動させて挿入側端を開口に臨ませるのは、筐体と信号線のコネクタとが干渉し易いので容易でない。そこで、信号線のコネクタをアクチュエータの筐体に近付けながら同時にコネクタにも近付けて挿入側端を開口に臨ませるのが合理的である。
【０００７】
この場合、アクチュエータのコネクタに近付けるときの信号線のコネクタは、筐体の表面に対して傾いた向きとなり、アクチュエータのコネクタに挿入できる向きと一致しない。そこで、信号線のコネクタをアクチュエータのコネクタの開口に近付けたら、アクチュエータのコネクタに挿入できるように、信号線のコネクタの向きを筐体の表面に沿った向きに変える必要がある。
【０００８】
特に、信号線のコネクタが、アクチュエータの筐体に取り付ける構造物に設けられている場合は、構造物を筐体に取り付けるのと同時に信号線のコネクタをアクチュエータのコネクタに挿入することになる。このため、アクチュエータの筐体に構造物を取り付ける際には、構造物を筐体に対して、アクチュエータのコネクタに挿入するときの信号線のコネクタの動きと同じ動きで構造物を筐体に取り付けられる位置に配置しておかなければならない。
【０００９】
これに対し、上述した特許文献１，２のような調芯機構は、アクチュエータのコネクタの開口に近付けた信号線のコネクタの向きを変えたり、信号線のコネクタを有する構造物をアクチュエータの筐体に対して適切な相対位置に配置するためのガイド機能を有していない。
【００１０】
本発明は前記事情に鑑みなされたもので、本発明の目的は、例えばアクチュエータとその筐体に取り付ける構造物との間でコネクタ同士を接続する場合などに適用可能な装置であって、部品の筐体に構造物を固定する際に構造物の挿入側コネクタを筐体の相手側コネクタに挿入可能な向きにガイドすることができるコネクタのガイド装置を提供することにある。
【課題を解決するための手段】
【００１１】
前記目的を達成するため請求項１に記載した本発明のコネクタのガイド装置は、
部品の筐体の表面に設けられた相手側コネクタに前記筐体に沿った方向から挿入される挿入側コネクタに取り付けられ、該挿入側コネクタに取り付けられた状態で前記挿入側コネクタの前記相手側コネクタに対する挿入側とは反対側に位置する部分に、先端部に係合片を有する支持部が延設されたコネクタ保持部材と、
前記支持部の先端部が挿入された内部に前記係合片と係合可能な被係合片を有し、該被係合片に前記係合片を係合させた係合状態において、前記支持部の延在方向と交差するオフセット方向に移動した傾斜姿勢で前記コネクタ保持部材を前記延在方向に移動不能に支持すると共に、前記被係合片への前記係合片の係合を解除した係合解除状態において前記筐体に取り付けられて、前記挿入側コネクタが前記相手側コネクタに挿入可能な姿勢となる前記傾斜姿勢以外の姿勢で前記コネクタ保持部材を前記延在方向に移動自在に支持する固定部材と、
を備えることを特徴とする。
【００１２】
請求項１に記載した本発明のコネクタのガイド装置によれば、コネクタ保持部材の支持部の係合片を固定部材の被係合片に係合させた係合状態では、コネクタ保持部材に取り付けられた挿入側コネクタが固定部材に対して支持部の延在方向において移動不能とされる。また、コネクタ保持部材やこれに取り付けられた挿入側コネクタが固定部材に対して、支持部の延在方向と交差するオフセット方向に移動した傾斜姿勢となる。
【００１３】
したがって、挿入側コネクタを相手側コネクタに近付けて挿入側コネクタの挿入側端を相手側コネクタの開口に臨ませる際に、係合片と被係合片とを係合状態としてコネクタ保持部材や挿入側コネクタを傾斜姿勢とし、固定部材を部品の筐体から離して筐体との干渉を避けることができる。
【００１４】
そして、挿入側コネクタの挿入側端を相手側コネクタの開口に臨ませたら、係合片と被係合片との係合を解除して係合解除状態とし、傾斜姿勢のコネクタ保持部材や挿入側コネクタを、支持部が筐体に沿った方向に延在するように固定部材に対してオフセット方向に移動させる。これにより、コネクタ保持部材に取り付けられた挿入側コネクタの姿勢が、相手側コネクタに挿入可能な姿勢に変わる。
【００１５】
したがって、この姿勢のままコネクタ保持部材と固定部材とを支持部の延在方向において近付け、さらに、これらを挿入側コネクタと共に筐体に沿った方向に移動させることで、相手側コネクタの開口に挿入側端を臨ませた挿入側コネクタを相手側コネクタに挿入し、かつ、固定部材を筐体に取り付けることができる。
【００１６】
これにより、部品の筐体に構造物（固定部材）を固定する際に構造物側の挿入側コネクタを筐体の相手側コネクタに挿入可能な向きにガイドすることができる。
【００１７】
なお、挿入側コネクタとコネクタ保持部材とは別体であっても良く、挿入側コネクタとコネクタ保持部材とを一体に構成してもよい。
【００１８】
また、請求項２に記載した本発明のコネクタのガイド装置は、請求項１に記載した本発明のコネクタのガイド装置において、前記固定部材は、前記係合解除状態の前記コネクタ保持部材の前記延在方向への移動により、前記コネクタ保持部材に対する前記挿入側コネクタの取付寸法誤差の許容範囲の最大値と前記筐体に対する前記固定部材の取付寸法誤差の許容範囲の最大値とを積算した積算公差値以上の寸法の範囲で、前記延在方向における前記コネクタ保持部材との間隔を変化させるように構成されていることを特徴とする。
【００１９】
請求項２に記載した本発明のコネクタのガイド装置によれば、請求項１に記載した本発明のコネクタのガイド装置において、コネクタ保持部材に対する挿入側コネクタの取り付けや筐体に対する固定部材の取り付けに寸法誤差が存在する場合は、その寸法誤差が全て同じ方向に積算される可能性がある。
【００２０】
例えば、上述した寸法誤差が全て支持部の延在方向に発生すると、挿入側コネクタを相手側コネクタに取り付けかつ固定部材を筐体に取り付けた状態で、コネクタ保持部材と固定部材との間隔が、最大で各寸法誤差の許容範囲の最大値を積算した積算公差値分、正規の間隔から変化する。このような間隔変化が生じると、例えば、挿入側コネクタの相手側コネクタへの挿入と固定部材の部品筐体への取り付けとを同時に行うことが困難になる。
【００２１】
これに対し、請求項２に記載した本発明のコネクタのガイド装置では、係合片と被係合片とが係合を解除した係合解除状態において、固定部材に対してコネクタ保持部材を支持部の延在方向に移動させることで、両者の間隔が積算公差値以上の寸法範囲で変化する。このため、固定部材に対するコネクタ保持部材の支持部の延在方向における移動により、挿入側コネクタの相手側コネクタへの挿入と固定部材の部品筐体への取り付けとを同時に行えるような位置関係を、支持部の延在方向においてコネクタ保持部材と固定部材との両者間に維持することができる。
【００２２】
さらに、請求項３に記載した本発明のコネクタのガイド装置は、請求項１又は２に記載した本発明のコネクタのガイド装置において、前記挿入側コネクタに取り付けられた状態の前記コネクタ保持部材の前記挿入側に位置する部分に延設され、前記相手側コネクタに係止されて前記コネクタ保持部材に取り付けられた前記挿入側コネクタを前記オフセット方向において前記相手側コネクタの挿入開口に位置決めする位置決め片をさらに備えることを特徴とする。
【００２３】
請求項３に記載した本発明のコネクタのガイド装置によれば、請求項１又は２に記載した本発明のコネクタのガイド装置において、傾斜姿勢のコネクタ保持部材の位置決め片を相手側コネクタに係止することで、コネクタ保持部材に取り付けられた挿入側コネクタの挿入側端を相手側コネクタの開口に容易に臨ませることができる。
【発明の効果】
【００２４】
本発明によれば、部品の筐体に構造物を固定する際に、構造物に設けられた挿入側コネクタを、筐体の表面に設けられた相手側コネクタに挿入可能な筐体に沿った向きにガイドすることができる。
【図面の簡単な説明】
【００２５】
【図１】本発明の一実施形態に係るコネクタのガイド装置の概略構成を示す断面図である。
【図２】図１のガイド装置を用いて挿入側コネクタをアクチュエータに設けた相手側コネクタの挿入開口に位置合わせする作業を示すもので、（ａ）は側面図、（ｂ）は平面図である。
【図３】図１のガイド装置の斜視図である。
【図４】図１のガイド装置のコネクタ保持部材を固定部材から最も離間させた状態を示す断面図である。
【図５】図４の状態からコネクタ保持部材の支持部の係合片を固定部材の内部の被係合片に係合させてコネクタ保持部材を固定部材に対して傾斜させた状態を示す断面図である。
【図６】コネクタ保持部材を傾斜姿勢とした図５のガイド装置を用い、コネクタ保持部材に取り付けた挿入側コネクタを相手側コネクタの挿入開口に対して位置合わせする作業を示すもので、（ａ）は側面図、（ｂ）は平面図である。
【図７】コネクタ保持部材を図５の傾斜姿勢から図４の水平姿勢に変えることで、相手側コネクタの挿入開口に位置合わせした挿入側コネクタを相手側コネクタに挿入可能な向きに変えた後に、コネクタ保持部材に取り付けた挿入側コネクタを相手側コネクタに挿入し始めた状態を示す側面図である。
【図８】図４の水平姿勢に変えたガイド装置のコネクタ保持部材に保持された挿入側コネクタを相手側コネクタに挿入し終えた状態を示す側面図である。
【図９】相手側コネクタに挿入側コネクタを挿入し終えた図４の水平姿勢のコネクタ保持部材に最接近させて固定部材をアクチュエータに固定した状態を示す側面図である。
【発明を実施するための形態】
【００２６】
以下、本発明の実施形態について図面を参照して説明する。図１に示す本実施形態のガイド装置１は、制御信号を供給する信号線１０の先端に取り付けた雌コネクタ１１（請求項中の挿入側コネクタに相当）を、挿入先のコネクタに挿入可能な姿勢にガイドするものである。
【００２７】
ここで、本実施形態における雌コネクタ１１の挿入先のコネクタは、図２（ａ），（ｂ）に示すソレノイド等のアクチュエータ２０（請求項中の部品に相当）の雄コネクタ２３（請求項中の相手側コネクタに相当）である。この雄コネクタ２３は、アクチュエータ２０の制御信号を受け取るためにアクチュエータ２０の円柱状の筐体２１に設けられている。
【００２８】
なお、雄コネクタ２３に雌コネクタ１１を挿入した状態で筐体２１からの突出量ができるだけ少なくなるように、雄コネクタ２３に対する雌コネクタ１１の挿入方向は筐体２１の表面に沿った方向（図２（ａ）中の左右方向）とされている。したがって、雄コネクタ２３の雌コネクタ１１を挿入する開口（挿入開口、図示せず）は、図２（ａ）における雄コネクタ２３の右端に設けられている。この雄コネクタ２３に対して図１に示す雌コネクタ１１は、その長手方向（図１における左右方向）に挿入される。
【００２９】
また、雄コネクタ２３は、雌コネクタ１１の挿入開口とは反対側（図２（ａ）における雄コネクタ２３の左端側）において、固定部２３ａによって筐体２１に取り付けられている。筐体２１に取り付けられた雄コネクタ２３は、筐体２１からの雄コネクタ２３の突出量をできるだけ減らすために、筐体２１の表面に極力近付けて配置されている。このため、雌コネクタ１１の挿入側端を雄コネクタ２３の挿入開口に臨ませて雄コネクタ２３に雌コネクタ１１を挿入する際には、雌コネクタ１１を筐体２１に近付けておく必要がある。
【００３０】
しかし、信号線１０の雌コネクタ１１をアクチュエータ２０の筐体２１に近付けてからアクチュエータ２０の雄コネクタ２３側に雌コネクタ１１をその長手方向（図１における左右方向）に移動させて雌コネクタ１１の挿入側端を雄コネクタ２３の挿入開口に臨ませるのは、筐体２１と雌コネクタ１１とが干渉し易いので容易でない。むしろ、雌コネクタ１１をアクチュエータ２０の筐体２１に近付けながら同時に雄コネクタ２３にも近付けて、雌コネクタ１１の挿入側端を雄コネクタ２３の挿入開口に臨ませるのが合理的である。
【００３１】
そこで、本実施形態のガイド装置１は、雌コネクタ１１を筐体２１に近付けながら同時に雄コネクタ２３の挿入開口に近付ける作業をガイドするように構成されている。
【００３２】
図３の斜視図に示すように、ガイド装置１は、信号線１０の雌コネクタ１１を保持するコネクタ保持部材３と、コネクタ保持部材３を支持し雌コネクタ１１を雄コネクタ２３に挿入した後、アクチュエータ２０の筐体２１に取り付けられる固定部材５とを有している。
【００３３】
図１に示すように、コネクタ保持部材３は、雌コネクタ１１の基端側（信号線１０側）を保持する保持部３１と、保持部３１に連なり雌コネクタ１１の先端側上半部を覆うカバー部３３と、カバー部３３から延出し雌コネクタ１１の先端上方に配置されたガイド片部３５（請求項中の位置決め片に相当）とを有している。
【００３４】
保持部３１に保持された雌コネクタ１１は、雌コネクタ１１の係止突起１１ａが保持部３１の係止孔３１ａに係止されることで、保持部３１に対する保持状態に位置決めされる。カバー部３３は、雄コネクタ２３に対する雌コネクタ１１の挿入方向（図１における左右方向）に沿って保持部３１から延出している。
【００３５】
また、コネクタ保持部材３は、保持部３１に連なりカバー部３３とは反対側に延出した支持部３７と、支持部３７の先端に設けられた抜け止め部３９（請求項中の支持部の先端部に相当）とを有している。
【００３６】
なお、保持部３１及びカバー部３３は、雌コネクタ１１を左右両側から挟み込む一対の側片によって形成されている。そして、保持部３１では両側片の下端同士が底板により接続され、カバー部３３では両側片の上端同士が天板により接続されている。また、ガイド片部３５はカバー部３３の天板に連続して形成されている。
【００３７】
また、支持部３７及び抜け止め部３９には、雄コネクタ２３に対する雌コネクタ１１の挿入方向（図１における左右方向）に沿って支持部３７及び抜け止め部３９を貫通する貫通孔３７ａが形成されており、この貫通孔３７ａに信号線１０が挿通されている。ちなみに、図２（ｂ）では、雌コネクタ１１の見やすさを考慮して、保持部３１を上下方向の中間部で切り欠き、カバー部３３及びガイド片部３５の図示を省略している。
【００３８】
図１に示すように、固定部材５は、上部が開放された下ケース５１と、下ケース５１の開放部を塞ぐ上ケース５２とを有しており、これら下ケース５１及び上ケース５３により、固定部材５の内部に空間５３が形成されている。固定部材５の一方の側面には、下ケース５１と上ケース５２とによって構成されて空間５３と連通する開口部５４が形成されており、これと対向する固定部材５の他方の側面には、下ケース５１によって構成されて空間５３と連通する開口部５５が形成されている。
【００３９】
固定部材５の一方の開口部５４にはコネクタ保持部材３の支持部３７が遊挿されており、支持部３７の先端の抜け止め部３９は、固定部材５の空間５３に収容されている。開口部５４に遊挿された支持部３７がその延在方向（雌コネクタ１１の挿入方向）に移動可能であることから、空間５３内で抜け止め部３９は支持部３７の延在方向に移動することができる。なお、抜け止め部３９の両側片に挟み込まれた信号線１０は、支持部３７の延在方向の延長線上にある固定部材５の他方の開口部５５から固定部材５の外側に引き出されている。
【００４０】
なお、下ケース５１の下面は開放されている。これにより、固定部材５を円柱状の筐体２１に取り付けた際に、曲面である筐体２１の表面に下ケース５１を密着させることができる。
【００４１】
固定部材５の空間５３には、上ケース５２の円弧状の上面から突設された被係合片５６が突出している。この被係合片５６は、図２（ｂ）に示すように上ケース５２の上面に形成されたスリット５２ａの内側の可撓片５２ｂにより、空間５３に対する出没方向（図１における上下方向）に移動可能に支持されている。被係合片５６の先端は、空間５３内で支持部３７の延在方向に移動する抜け止め部３９の係合片部３９ａ（請求項中の係合片に相当）と干渉する位置に配置されている。
【００４２】
したがって、図４に示す一方の開口部５４側から図１に示す他方の開口部５５側に、空間５３内で抜け止め部３９を支持部３７の延在方向に移動させると、抜け止め部３９の係合片部３９ａが図４に示すように被係合片５６に接触する。この状態から抜け止め部３９をさらに他方の開口部５５側に移動させると、図４中の想像線で示すように、係合片部３９ａが被係合片５６を空間５３から退避させる方向（図１における上方向）に押し上げて、可撓片５２ｂを固定部材５の外側に撓ませる。そして、抜け止め部３９は、被係合片５６をかわして開口部５５側に配置される。
【００４３】
なお、抜け止め部３９の係合片部３９ａを被係合片５６よりも一方の開口部５４側に位置させた状態で、図５に示すように、固定部材５の外側でコネクタ保持部材３を下方向に移動させると、係合片部３９ａが被係合片５６に係合する。この係合によりコネクタ保持部材３は、固定部材５に対して支持部３７の延在方向と交差するオフセット方向に傾斜した傾斜姿勢に保持される。
【００４４】
信号線１０の雌コネクタ１１をアクチュエータ２０の雄コネクタ２３に挿入するために、雌コネクタ１１の挿入側端を雄コネクタ２３の不図示の挿入開口に臨ませる際には、コネクタ保持部材３を固定部材５に対して図５に示す傾斜姿勢にした状態で、雌コネクタ１１をアクチュエータ２０の筐体２１に近付けながら同時に雄コネクタ２３にも近付ける。
【００４５】
これにより、コネクタ保持部材３の保持部３１に保持された雌コネクタ１１の基端側（信号線１０側）を挿入側端よりもアクチュエータ２０の筐体２１から遠ざけて、雌コネクタ１１を筐体２１と干渉しにくくすることができる。
【００４６】
なお、図２（ｂ）に示すように、固定部材５の下ケース５１の両側から平行に一対のガイド片５７，５７を突設し、雌コネクタ１１を雄コネクタ２３に近付ける際に、雄コネクタ２３の固定部２３ａの幅に合わせた間隔を有する両ガイド片５７，５７の先端のテーパ面５７ａ，５７ａを、固定部２３ａの両側面に当接させてもよい。これにより、雌コネクタ１１を雄コネクタ２３に対して水平方向（図２（ｂ）における上下方向）に位置合わせ（調芯）することができる。
【００４７】
また、雌コネクタ１１を雄コネクタ２３に近付ける際に、図６（ａ）に示すように、コネクタ保持部材３のガイド片部３５を雄コネクタ２３の挿入側端上に係止してもよい。これにより、雌コネクタ１１を雄コネクタ２３に対して水平方向と直交する鉛直方向（図６（ａ）における上下方向）に位置合わせ（調芯）することができる。
【００４８】
なお、雄コネクタ２３に対する雌コネクタ１１の鉛直方向における調芯を容易にするために、ガイド片部３５はカバー部３３の天板に対して、傾斜姿勢としたコネクタ保持部材３の固定部材５に対する傾斜角度（例えば、最大１５°）に公差分（最大５°）のマージンを加えた角度（最大２０゜）の傾斜を付けている。
【００４９】
そして、図６（ａ）に示すように、雌コネクタ１１の挿入側端が雄コネクタ２３の不図示の挿入開口に臨ませると、図６（ｂ）に示すように、両ガイド片５７，５７のテーパ面５７ａ，５７ａが雄コネクタ２３の固定部２３ａの両側面に当接する。そこで、図７に示すように、固定部材５をアクチュエータ２０の筐体２１に近付けるように下げて、雄コネクタ２３に対して傾斜した雌コネクタ１１の向きを雄コネクタ２３への挿入方向に一致させる。なお、図６（ｂ）でも図２（ｂ）と同様に、雌コネクタ１１の見やすさを考慮して、保持部３１を上下方向の中間部で切り欠き、カバー部３３及びガイド片部３５の図示を省略している。
【００５０】
続けて、係合片部３９ａの被係合片５６に対する係合を維持したままで固定部材５を筐体２１の表面に沿って雄コネクタ２３側に移動させ、雌コネクタ１１を雄コネクタ２３に挿入する。図８に示すように、雄コネクタ２３に雌コネクタ１１を挿入させ終えたならば、筐体２１の表面から離間するように固定部材５をコネクタ保持部材３に対して若干上方に移動させる。
【００５１】
この状態で、固定部材５を筐体２１の表面に沿ってコネクタ保持部材３に近づくように移動させ、空間５３内で抜け止め部３９を支持部３７の延在方向に移動させて、被係合片５６を係合片部３９ａに乗り上げさせる。そこで、被係合片５６をかわしながら係合片部３９ａをさらに移動させると、被係合片５６に対する係合片部３９ａの係合が解除される。そして、図４に示す一方の開口部５４側から図１に示す他方の開口部５５側に抜け止め部３９に位置させる。これにより、図９に示すように、固定部材５が筐体２１に対する取付位置に移動する。そこで、任意の固定手段により固定部材５を筐体２１に固定する。
【００５２】
なお、図７に示す状態で、空間５３内で抜け止め部３９を図１に示す他方の開口部５５側に移動させ、係合片部３９ａの被係合片５６に対する係合を先に解除させてから、固定部材５をコネクタ保持部材３と共に雄コネクタ２３側に移動させてもよい。その場合は、雌コネクタ１１の雄コネクタ２３への挿入と共に固定部材５の筐体２１に対する取付位置への移動が同時に行われることになる。
【００５３】
ここで、コネクタ保持部材３に対する雌コネクタ１１の保持位置や、筐体２１に対する固定部材５の取り付け位置には、寸法誤差が生じる。そこで、本実施形態では、これらの寸法誤差の公差（最大許容誤差）を雌コネクタ１１の雄コネクタ２３に対する挿入方向において積算した寸法以上の寸法を、コネクタ保持部材３の支持部３７の延在方向に持たせている。
【００５４】
このため、上述した公差内の寸法誤差の大小に拘わらず、雌コネクタ１１を雄コネクタ２３に確実に挿入させることができる。また、上述した公差内の寸法誤差の大小に拘わらず、雌コネクタ１１の雄コネクタ２３に対する挿入と固定部材５の筐体２１に対する取り付けとを同時に行えるような位置関係を、雌コネクタ１１と固定部材５との間に確保することができる。
【００５５】
このように構成した本実施形態のガイド装置１によれば、抜け止め部３９の係合片部３９ａと被係合片５６との係合により、コネクタ保持部材３を固定部材５に対して下方に移動させた図５の傾斜姿勢にガイド装置１が保持される。このため、雌コネクタ１１の基端側や固定部材５を筐体２１から離して筐体２１との干渉を避け易い姿勢を維持したまま、雌コネクタ１１の挿入側端を雄コネクタ２３の不図示の挿入開口に近付けることができる。
【００５６】
また、雌コネクタ１１の挿入側端を雄コネクタ２３の挿入開口に臨ませたら、係合片部３９ａと被係合片５６との係合を解除することで、雌コネクタ１１を雄コネクタ２３に挿入できる姿勢にコネクタ保持部材３の姿勢を容易に変えることができる。このため、アクチュエータ２０の雄コネクタ２３に信号線１０の雌コネクタ１１を挿入して、雌コネクタ１１を保持したコネクタ保持部材３を支持する固定部材５を筐体２１に固定する際に、雌コネクタ１１を筐体２１の雄コネクタ２３に挿入可能な向きに容易にガイドすることができる。
【００５７】
また、本実施形態のガイド装置１によれば、コネクタ保持部材３にガイド片部３５を設けたので、傾斜姿勢のコネクタ保持部材３のガイド片部３５を雄コネクタ２３の挿入側端上に係止することで、コネクタ保持部材３の保持部３１に保持された雌コネクタ１１の挿入側端を雄コネクタ２３の不図示の挿入開口に容易に臨ませることができる。
【００５８】
但し、カバー部３３の天板に対するガイド片部３５の角度は、本実施形態で説明した角度に限らず任意である。また、ガイド片部３５は必須でなく省略可能である。さらに、コネクタ保持部材３に対する雌コネクタ１１の保持位置や、筐体２１に対する固定部材５の取り付け位置の寸法誤差の公差を、雌コネクタ１１の雄コネクタ２３に対する挿入方向において積算した寸法以上の寸法を、コネクタ保持部材３の支持部３７の延在方向における寸法に持たせるか否かは、任意である。
【００５９】
また、雌コネクタ１１とコネクタ保持部材３の保持部３１とは別体であっても良く、雌コネクタ１１と保持部３１とを一体に構成してもよい。
【産業上の利用可能性】
【００６０】
本発明は、相手側コネクタに嵌合される嵌合側コネクタを相手側コネクタに挿入可能な姿勢にガイドするコネクタのガイド装置に適用して極めて有用である。
【符号の説明】
【００６１】
１  ガイド装置
３  コネクタ保持部材
５  固定部材
１０  信号線
１１  雌コネクタ（挿入側コネクタ）
２０  アクチュエータ（部品）
２１  筐体
２３  雄コネクタ（相手側コネクタ）
２３ａ  固定部
３１  保持部
３３  カバー部
３５  ガイド片部（位置決め片）
３７  支持部
３９  抜け止め部（支持部の先端部）
３９ａ  係合片部（係合片）
５１  下ケース
５２  上ケース
５３  空間
５４，５５  開口部
５６  被係合片
５７  ガイド片
５７ａ  テーパ面
【図１】
0006272212.tif 000002
【図２】
0006272212.tif 000003
【図３】
0006272212.tif 000004
【図４】
0006272212.tif 000005
【図５】
0006272212.tif 000006
【図６】
0006272212.tif 000007
【図７】
0006272212.tif 000008
【図８】
0006272212.tif 000009
【図９】
0006272212.tif 000010